(57)【特許請求の範囲】
【請求項１】
利用者による操作が入力される入力デバイスと、
情報を表示する表示デバイスと、
原稿から画像を読み取る読取デバイスと、
通信を行うための通信デバイスと、
前記読取デバイスによって前記原稿から読み取られた前記画像を前記通信デバイスによって送信する画像送信動作を制御する送信制御手段とを備えており、
前記送信制御手段は、前記画像送信動作の宛先である画像送信宛先であって現在指定されている前記画像送信宛先を表示するための指定済宛先表示画面を前記表示デバイスに表示させ、
前記指定済宛先表示画面は、前記画像送信宛先を指定するための宛先指定画面を前記表示デバイスに表示させるためのボタンを含んでおり、
前記宛先指定画面は、前記画像送信宛先を決定するためのＯＫボタンを備えており、
前記送信制御手段は、前記宛先指定画面において前記画像送信宛先が指定されていない場合、前記ＯＫボタンが押されることを防止し、
前記送信制御手段は、前記指定済宛先表示画面において前記ボタンが押されて表示させた前記宛先指定画面において前記ＯＫボタンが押されると、再び前記指定済宛先表示画面を表示させ、
前記送信制御手段は、前記画像送信宛先が指定されている場合に前記画像送信動作の開始の指示が前記入力デバイスに入力されたとき、前記画像送信動作を開始し、
前記送信制御手段は、前記画像送信宛先が指定されていない場合に前記画像送信動作の開始の指示が前記入力デバイスに入力されたとき、前記宛先指定画面を前記表示デバイスに表示させ、
前記送信制御手段は、前記画像送信宛先が指定されていない場合に前記画像送信動作の開始の指示が前記入力デバイスに入力されたときに表示させた前記宛先指定画面において前記ＯＫボタンが押されると、前記画像送信動作を開始することを特徴とする画像送信装置。
【請求項２】
前記送信制御手段は、前記画像送信宛先が指定されていない場合に前記画像送信動作の開始の指示が前記入力デバイスに入力されたとき、前記宛先指定画面を前記表示デバイスに表示させる場合に、アドレス帳に宛先が登録されているとき、前記アドレス帳に登録されている宛先の中から前記画像送信宛先を選択するアドレス帳画面を前記宛先指定画面として前記表示デバイスに表示させ、
前記送信制御手段は、前記画像送信宛先が指定されていない場合に前記画像送信動作の開始の指示が前記入力デバイスに入力されたとき、前記宛先指定画面を前記表示デバイスに表示させる場合に、前記アドレス帳に宛先が登録されていないとき、前記アドレス帳画面ではなく、前記画像送信宛先が直接入力されるための宛先入力画面を前記宛先指定画面として前記表示デバイスに表示させることを特徴とする請求項１に記載の画像送信装置。
【請求項３】
前記送信制御手段は、前記宛先指定画面によって前記画像送信宛先が指定された場合に、前記画像送信宛先が指定されたことを前記表示デバイス上で通知することを特徴とする請求項１または請求項２に記載の画像送信装置。
【請求項４】
前記送信制御手段は、前記指定済宛先表示画面が前記表示デバイスに表示されていない場合であって前記画像送信宛先が指定されていない場合に前記画像送信動作の開始の指示が前記入力デバイスに入力されたとき、前記宛先指定画面を前記表示デバイスに表示させ、
前記送信制御手段は、前記指定済宛先表示画面が前記表示デバイスに表示されている場合であって前記画像送信宛先が指定されていない場合に前記画像送信動作の開始の指示が前記入力デバイスに入力されたとき、前記宛先指定画面を前記表示デバイスに表示させずに、前記画像送信宛先が未だ指定されていないことを前記表示デバイス上で通知することを特徴とする請求項１から請求項３までの何れかに記載の画像送信装置。
【請求項５】
前記送信制御手段は、前記画像に関する設定を実行するための画像設定画面を前記表示デバイスに表示させる場合に、前記指定済宛先表示画面を前記表示デバイスに表示させないことを特徴とする請求項４に記載の画像送信装置。
【発明の詳細な説明】
【技術分野】
【０００１】
本発明は、読取デバイスによって原稿から読み取られた画像を通信デバイスによって送信する画像送信装置に関する。
【背景技術】
【０００２】
従来、読取デバイスによって原稿から読み取られた画像を通信デバイスによって送信する画像送信装置として、読取デバイスによって原稿から読み取られた画像を通信デバイスによって送信する画像送信動作の宛先が指定されていない場合に、画像送信動作の開始が指示されたとき、画像送信動作の宛先として既定の送信先を自動で設定するものが知られている（例えば特許文献１参照。）。
【先行技術文献】
【特許文献】
【０００３】
【特許文献１】特開２００９−２７３０２８号公報
【発明の概要】
【発明が解決しようとする課題】
【０００４】
しかしながら、従来の画像送信装置は、利用者が既定の送信先を画像送信動作の宛先として設定するつもりではなく単に画像送信動作の宛先を指定し忘れて画像送信動作の開始を指示した場合に、既定の送信先、すなわち、利用者が想定していない宛先に画像を送信してしまうという問題がある。
【０００５】
そこで、本発明は、利用者が想定していない宛先に画像を送信することを防止することができる画像送信装置を提供することを目的とする。
【課題を解決するための手段】
【０００６】
本発明の画像送信装置は、利用者による操作が入力される入力デバイスと、情報を表示する表示デバイスと、原稿から画像を読み取る読取デバイスと、通信を行うための通信デバイスと、前記読取デバイスによって前記原稿から読み取られた前記画像を前記通信デバイスによって送信する画像送信動作を制御する送信制御手段とを備えており、前記送信制御手段は、前記画像送信動作の宛先である画像送信宛先が指定されている場合に前記画像送信動作の開始の指示が前記入力デバイスに入力されたとき、前記画像送信動作を開始し、前記送信制御手段は、前記画像送信宛先が指定されていない場合に前記画像送信動作の開始の指示が前記入力デバイスに入力されたとき、前記画像送信宛先を指定するための宛先指定画面を前記表示デバイスに表示させることを特徴とする。
【０００７】
この構成により、本発明の画像送信装置は、読取デバイスによって原稿から読み取られた画像を通信デバイスによって送信する画像送信動作の宛先である画像送信宛先が指定されていない場合に、画像送信動作の開始の指示が入力デバイスに入力されたとき、画像送信宛先を指定するための宛先指定画面を表示デバイスに表示させるので、画像送信宛先を利用者に確実に指定させることができる。したがって、本発明の画像送信装置は、利用者が想定していない宛先に画像を送信することを防止することができる。
【０００８】
また、本発明の画像送信装置は、前記宛先が登録されるアドレス帳を記憶する記憶部を備えており、前記送信制御手段は、前記アドレス帳に登録されている前記宛先の中から前記画像送信宛先を選択するアドレス帳画面を前記宛先指定画面として前記表示デバイスに表示させても良い。
【０００９】
この構成により、本発明の画像送信装置は、アドレス帳に登録されている宛先の中から画像送信宛先を利用者に選択させるので、画像送信宛先を利用者に容易に指定させることができる。
【００１０】
また、本発明の画像送信装置において、前記アドレス帳画面は、前記画像送信宛先が直接入力されるための宛先入力画面を前記表示デバイスに表示させるためのＧＵＩである宛先入力画面表示用ＧＵＩを含んでいても良い。
【００１１】
この構成により、本発明の画像送信装置は、アドレス帳に登録されている宛先の中に利用者が画像送信宛先として希望する宛先が存在しない場合に、画像送信宛先を利用者に直接入力させることができる。
【００１２】
また、本発明の画像送信装置において、前記送信制御手段は、前記宛先指定画面を前記表示デバイスに表示させる場合に、前記アドレス帳に前記宛先が登録されているとき、前記アドレス帳画面を前記宛先指定画面として前記表示デバイスに表示させ、前記送信制御手段は、前記宛先指定画面を前記表示デバイスに表示させる場合に、前記アドレス帳に前記宛先が登録されていないとき、前記アドレス帳画面ではなく、前記画像送信宛先が直接入力されるための宛先入力画面を前記宛先指定画面として前記表示デバイスに表示させても良い。
【００１３】
この構成により、本発明の画像送信装置は、アドレス帳に宛先が登録されていない場合に、アドレス帳画面ではなく、画像送信宛先を利用者に直接入力させる宛先入力画面を表示デバイスに表示させるので、利用者による画像送信宛先の指定の利便性を向上することができる。
【００１４】
また、本発明の画像送信装置において、前記送信制御手段は、前記宛先指定画面によって前記画像送信宛先が指定された場合に、前記画像送信宛先が指定されたことを前記表示デバイス上で通知しても良い。
【００１５】
この構成により、本発明の画像送信装置は、画像送信宛先が指定されたことを利用者に確実に認識させることができる。
【００１６】
また、本発明の画像送信装置において、前記送信制御手段は、現在指定されている前記画像送信宛先を表示するための指定済宛先表示画面が前記表示デバイスに表示されていない場合であって前記画像送信宛先が指定されていない場合に前記画像送信動作の開始の指示が前記入力デバイスに入力されたとき、前記宛先指定画面を前記表示デバイスに表示させ、前記送信制御手段は、前記指定済宛先表示画面が前記表示デバイスに表示されている場合であって前記画像送信宛先が指定されていない場合に前記画像送信動作の開始の指示が前記入力デバイスに入力されたとき、前記宛先指定画面を前記表示デバイスに表示させずに、前記画像送信宛先が未だ指定されていないことを前記表示デバイス上で通知しても良い。
【００１７】
この構成により、本発明の画像送信装置は、指定済宛先表示画面が表示デバイスに表示されている場合であって画像送信宛先が指定されていない場合に画像送信動作の開始の指示が入力デバイスに入力されたとき、宛先指定画面を表示デバイスに表示させずに、画像送信宛先が未だ指定されていないことを表示デバイス上で通知するので、指定済宛先表示画面によって利用者に画像送信宛先を指定させることができる。したがって、本発明の画像送信装置は、利用者による画像送信宛先の指定の利便性を向上することができる。
【００１８】
また、本発明の画像送信装置において、前記送信制御手段は、前記画像に関する設定を実行するための画像設定画面を前記表示デバイスに表示させる場合に、前記指定済宛先表示画面を前記表示デバイスに表示させなくても良い。
【００１９】
この構成により、本発明の画像送信装置は、画像送信宛先が指定されていない場合であって指定済宛先表示画面ではなく画像設定画面を表示デバイスに表示させている場合に、画像送信動作の開始の指示が入力デバイスに入力されたとき、画像送信宛先を指定するための宛先指定画面を表示デバイスに表示させるので、画像送信宛先を利用者に確実に指定させることができる。
【発明の効果】
【００２０】
本発明の画像送信装置は、利用者が想定していない宛先に画像を送信することを防止することができる。
【図面の簡単な説明】
【００２１】
【図１】本発明の一実施の形態に係るＭＦＰのブロック図である。
【図２】図１に示すＭＦＰの操作パネルの平面図である。
【図３】図２に示す表示部に表示される指定済宛先表示画面の一例を示す図である。
【図４】図２に示す表示部に表示されるアドレス帳画面の一例を示す図である。
【図５】図２に示す表示部に表示される宛先入力画面の一例を示す図である。
【図６】図２に示す表示部に表示される画像設定画面の一例を示す図である。
【図７】メール送信モードである場合に開始ボタンが押されたときの図１に示すＭＦＰの動作のフローチャートである。
【図８】図２に示す表示部に表示される、画像送信宛先が未だ指定されていないことを通知する画像の一例を示す図である。
【図９】図２に示す表示部に表示される、画像送信宛先が指定されたことを通知する画像の一例を示す図である。
【図１０】図７に示す動作における通知の仕組みを説明する図である。
【図１１】メール送信モードである場合に開始ボタンが押されたときの図１に示すＭＦＰの動作の図７に示す例とは異なる例でのフローチャートである。
【図１２】メール送信モードである場合に開始ボタンが押されたときの図１に示すＭＦＰの動作の図７および図１１に示す例とは異なる例でのフローチャートである。
【図１３】図２に示す表示部に表示される指定済宛先表示画面の図３に示す例とは異なる一例を示す図である。
【図１４】図２に示す表示部に表示される画像設定画面の図６に示す例とは異なる一例を示す図である。
【発明を実施するための形態】
【００２２】
以下、本発明の一実施の形態について、図面を用いて説明する。
【００２３】
まず、本実施の形態に係る画像送信装置としてのＭＦＰ（Ｍｕｌｔｉｆｕｎｃｔｉｏｎ  Ｐｅｒｉｐｈｅｒａｌ）の構成について説明する。
【００２４】
図１は、本実施の形態に係るＭＦＰ１０のブロック図である。
【００２５】
図１に示すように、ＭＦＰ１０は、利用者による種々の操作が入力されるボタンなどの入力デバイスである操作部１１と、種々の情報を表示するＬＣＤ（Ｌｉｑｕｉｄ  Ｃｒｙｓｔａｌ  Ｄｉｓｐｌａｙ）などの表示デバイスである表示部１２と、音声を出力するためのスピーカー１３と、用紙などの記録媒体への画像の印刷を実行する印刷デバイスであるプリンター１４と、原稿から画像を読み取る読取デバイスであるスキャナー１５と、ＬＡＮ（Ｌｏｃａｌ  Ａｒｅａ  Ｎｅｔｗｏｒｋ）、インターネットなどのネットワーク経由で通信を行うネットワーク通信デバイスであるネットワーク通信部１６と、プログラムなどの各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤ（Ｈａｒｄ  Ｄｉｓｋ  Ｄｒｉｖｅ）などの記憶デバイスである記憶部２０と、ＭＦＰ１０全体を制御する制御部３０とを備えている。
【００２６】
ネットワーク通信部１６は、通信を行うための装置であり、本発明の通信デバイスを構成している。
【００２７】
記憶部２０は、宛先が登録されるアドレス帳２１を記憶することができる。
【００２８】
制御部３０は、例えば、ＣＰＵ（Ｃｅｎｔｒａｌ  Ｐｒｏｃｅｓｓｉｎｇ  Ｕｎｉｔ）と、プログラムおよび各種のデータを予め記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２０に記憶されているプログラムを実行するようになっている。
【００２９】
制御部３０は、記憶部２０に記憶されているプログラムを実行することによって、スキャナー１５によって原稿から読み取られた画像をネットワーク通信部１６によって送信する画像送信動作を制御する送信制御手段３１として機能する。
【００３０】
図２は、ＭＦＰ１０の操作パネル１８の平面図である。
【００３１】
図２に示すように、ＭＦＰ１０は、操作部１１および表示部１２が配置された操作パネル１８を備えている。
【００３２】
操作部１１は、表示部１２とともにタッチパネルを構成する位置入力装置１１ａと、スキャナー１５によって原稿から読み取られた画像をプリンター１４によって印刷する動作であるコピーを実行するモードに切り替えられるためのコピーボタン１１ｂと、画像送信動作としてのメール送信動作を実行するモードであるメール送信モードに切り替えられるためのメール送信ボタン１１ｃと、コピー、画像送信動作などの各種の動作の実行が停止させられるための停止ボタン１１ｄと、コピー、画像送信動作などの各種の動作の開始の指示が入力されるための開始ボタン１１ｅとを備えている。
【００３３】
次に、ＭＦＰ１０の動作について説明する。
【００３４】
送信制御手段３１は、メール送信ボタン１１ｃが押されると、画像送信動作の宛先である画像送信宛先を利用者に指定させるために、現在指定されている画像送信宛先を表示するための指定済宛先表示画面４０（図３参照。）を表示部１２に表示させる。
【００３５】
図３は、表示部１２に表示される指定済宛先表示画面４０の一例を示す図である。
【００３６】
図３に示すように、指定済宛先表示画面４０は、現在指定されている画像送信宛先を表示する画像送信宛先表示領域４１と、アドレス帳２１に登録されている宛先の中から画像送信宛先を選択するアドレス帳画面５０（図４参照。）を表示部１２にポップアップ表示させるためのＧＵＩ（Ｇｒａｐｈｉｃａｌ  Ｕｓｅｒ  Ｉｎｔｅｒｆａｃｅ）であるアドレス帳ボタン４２と、電子メール用の画像送信宛先が直接入力されるための宛先入力画面６０（図５参照。）を表示部１２にポップアップ表示させるためのＧＵＩである直接入力ボタン４３と、画像に関する設定を実行するための画像設定画面７０（図６参照。）を表示部１２に表示させるためのＧＵＩである設定タブ４４とを含んでいる。
【００３７】
画像送信宛先表示領域４１は、現在指定されている画像送信宛先が行毎に表示される表形式になっており、画像送信宛先の表示名が表示される列である宛先列４１ａと、画像送信宛先の実際の内容である電子メールアドレスが表示される列である詳細列４１ｂと、画像送信宛先表示領域４１に同時に表示することができない数の画像送信宛先を画像送信宛先表示領域４１に表示するためのスクロールアロー４１ｃとを含んでいる。
【００３８】
送信制御手段３１は、指定済宛先表示画面４０においてアドレス帳ボタン４２が押されると、図４に示すアドレス帳画面５０を表示部１２にポップアップ表示させる。
【００３９】
図４は、表示部１２に表示されるアドレス帳画面５０の一例を示す図である。
【００４０】
図４に示すように、アドレス帳画面５０は、アドレス帳２１に現在登録されている宛先を表示する宛先表示領域５１と、アドレス帳２１に現在登録されている宛先の中から利用者が希望する宛先を検索するための検索ワードを入力するためのテキストボックス５２と、アドレス帳２１に現在登録されている宛先の中からテキストボックス５２に入力されている検索ワードを含む宛先を検索するための検索ボタン５３と、アドレス帳２１への新規の宛先の登録が実行されるための新規登録ボタン５４と、画像送信宛先の選択を中止するためのキャンセルボタン５５と、宛先表示領域５１において選択されている宛先を画像送信宛先として決定するためのＯＫボタン５６とを備えている。
【００４１】
宛先表示領域５１は、アドレス帳２１に現在登録されている宛先が行毎に表示される表形式になっており、宛先の表示名が表示される列である宛先列５１ａと、宛先の実際の内容である電子メールアドレスが表示される列である詳細列５１ｂと、宛先表示領域５１に同時に表示することができない数の宛先を宛先表示領域５１に表示するためのスクロールアロー５１ｃとを含んでいる。なお、宛先表示領域５１において、選択された宛先は、反転表示される。
【００４２】
送信制御手段３１は、新規登録ボタン５４が押されると、宛先入力画面６０（図５参照。）を表示部１２にポップアップ表示させる。すなわち、新規登録ボタン５４は、宛先入力画面６０を表示部１２にポップアップ表示させるためのＧＵＩであり、本発明の宛先入力画面表示用ＧＵＩを構成している。
【００４３】
送信制御手段３１は、図３に示す指定済宛先表示画面４０においてアドレス帳ボタン４２が押されて図４に示すアドレス帳画面５０を表示部１２にポップアップ表示させた場合、アドレス帳画面５０においてキャンセルボタン５５またはＯＫボタン５６が押されると、再び図３に示す指定済宛先表示画面４０を表示部１２に表示させる。このとき、送信制御手段３１は、アドレス帳画面５０においてＯＫボタン５６が押された場合、アドレス帳画面５０の宛先表示領域５１において選択されている宛先を画像送信宛先として、指定済宛先表示画面４０の画像送信宛先表示領域４１に追加する。
【００４４】
なお、送信制御手段３１は、宛先表示領域５１において宛先が選択されていない場合、ＯＫボタン５６をグレーアウトするなどして、ＯＫボタン５６が押されることを防止する。
【００４５】
送信制御手段３１は、図３に示す指定済宛先表示画面４０において直接入力ボタン４３が押されると、指定済宛先表示画面４０の上に図５に示す宛先入力画面６０をポップアップ表示させる。
【００４６】
図５は、表示部１２に表示される宛先入力画面６０の一例を示す図である。
【００４７】
図５に示すように、宛先入力画面６０は、電子メールアドレスの表示名を入力するためのソフトウェアキーボードを表示部１２に表示させるための表示名ボタン６１と、ソフトウェアキーボードによって入力された表示名を表示するためのテキストボックス６２と、電子メールアドレスを入力するためのソフトウェアキーボードを表示部１２に表示させるためのメールアドレスボタン６３と、ソフトウェアキーボードによって入力された電子メールアドレスを表示するためのテキストボックス６４と、テキストボックス６４に表示されている電子メールアドレスをアドレス帳２１に登録するためのアドレス帳登録ボタン６５と、電子メール用の画像送信宛先を更に追加するための宛先追加ボタン６６と、電子メール用の画像送信宛先の直接入力を中止するためのキャンセルボタン６７と、宛先入力画面６０において直接入力された電子メールアドレスを電子メール用の画像送信宛先として決定するためのＯＫボタン６８とを備えている。
【００４８】
送信制御手段３１は、アドレス帳登録ボタン６５が押されると、テキストボックス６２に表示されている表示名と、テキストボックス６４に表示されている電子メールアドレスとの組み合わせをアドレス帳２１に登録する。
【００４９】
送信制御手段３１は、宛先追加ボタン６６が押されると、新たな宛先入力画面６０を表示部１２にポップアップ表示させる。
【００５０】
送信制御手段３１は、図３に示す指定済宛先表示画面４０において直接入力ボタン４３が押されて指定済宛先表示画面４０の上に図５に示す宛先入力画面６０をポップアップ表示させた場合、宛先入力画面６０においてキャンセルボタン６７またはＯＫボタン６８が押されると、宛先入力画面６０の表示を終了して、宛先入力画面６０の下にあった図３に示す指定済宛先表示画面４０を再び表示部１２に表示させる。このとき、送信制御手段３１は、宛先入力画面６０においてＯＫボタン６８が押された場合、その宛先入力画面６０（宛先追加ボタン６６が押されて複数の宛先入力画面６０がポップアップ表示されていたときには、それぞれの宛先入力画面６０）において直接入力された電子メールアドレスを電子メール用の画像送信宛先として、指定済宛先表示画面４０の画像送信宛先表示領域４１に追加する。
【００５１】
なお、送信制御手段３１は、宛先入力画面６０において電子メールアドレスが直接入力されていない場合、ＯＫボタン６８をグレーアウトするなどして、ＯＫボタン６８が押されることを防止する。
【００５２】
送信制御手段３１は、図４に示すアドレス帳画面５０において新規登録ボタン５４が押されると、アドレス帳画面５０の上に図５に示す宛先入力画面をポップアップ表示させる。
【００５３】
送信制御手段３１は、アドレス帳登録ボタン６５が押されると、テキストボックス６２に表示されている表示名と、テキストボックス６４に表示されている電子メールアドレスとの組み合わせをアドレス帳２１に登録した後、宛先入力画面６０の表示を終了して、宛先入力画面６０の下にあった図４に示すアドレス帳画面５０を再び表示部１２に表示させる。
【００５４】
送信制御手段３１は、キャンセルボタン６７が押されると、宛先入力画面６０の表示を終了して、宛先入力画面６０の下にあった図４に示すアドレス帳画面５０を再び表示部１２に表示させる。
【００５５】
なお、送信制御手段３１は、図４に示すアドレス帳画面５０において新規登録ボタン５４が押されてアドレス帳画面５０の上に図５に示す宛先入力画面６０をポップアップ表示させた場合、宛先入力画面６０において宛先追加ボタン６６およびＯＫボタン６８は、グレーアウトするなどして押されることができないようになっている。
【００５６】
送信制御手段３１は、図３に示す指定済宛先表示画面４０において設定タブ４４が押されると、図６に示す画像設定画面７０を表示部１２に表示させる。
【００５７】
図６は、表示部１２に表示される画像設定画面７０の一例を示す図である。
【００５８】
図６に示すように、画像設定画面７０は、スキャナー１５によって原稿をカラーおよび白黒の何れで読み取るかの設定を実行するためのカラーボタン７１と、スキャナー１５によって原稿を読み取る解像度の設定を実行するための解像度ボタン７２と、スキャナー１５によって原稿を読み取る濃度の設定を実行するための濃度ボタン７３と、スキャナー１５によって読み取る原稿が片面原稿および両面原稿の何れであるかの設定を実行するための片面／両面ボタン７４と、指定済宛先表示画面４０（図３参照。）を表示部１２に表示させるためのＧＵＩである宛先タブ７５とを含んでいる。なお、画像設定画面７０は、カラーボタン７１、解像度ボタン７２、濃度ボタン７３および片面／両面ボタン７４以外にも、画像に関する設定を実行するためのボタンを含んでいても良い。
【００５９】
送信制御手段３１は、メール送信ボタン１１ｃが押されてメール送信モードに切り替えられている場合、開始ボタン１１ｅが押されることによって図７に示す動作を開始する。
【００６０】
図７は、メール送信モードである場合に開始ボタン１１ｅが押されたときのＭＦＰ１０の動作のフローチャートである。
【００６１】
図７に示すように、送信制御手段３１は、画像送信宛先が指定されているか否かを判断する（Ｓ１０１）。
【００６２】
送信制御手段３１は、画像送信宛先が指定されているとＳ１０１において判断すると、スキャナー１５によって原稿から画像を読み取る（Ｓ１０２）。
【００６３】
次いで、送信制御手段３１は、スキャナー１５によって原稿から読み取った画像を、現在指定されている画像送信宛先に、ネットワーク通信部１６を介した電子メールによって送信して（Ｓ１０３）、図７に示す動作を終了する。
【００６４】
送信制御手段３１は、画像送信宛先が指定されていないとＳ１０１において判断すると、指定済宛先表示画面４０を表示部１２に表示中であるか否かを判断する（Ｓ１０４）。
【００６５】
送信制御手段３１は、指定済宛先表示画面４０を表示部１２に表示中であるとＳ１０４において判断すると、例えば図８に示す画像８０を指定済宛先表示画面４０上にポップアップ表示することによって、画像送信宛先が未だ指定されていないことを通知して（Ｓ１０５）、図７に示す動作を終了する。
【００６６】
なお、送信制御手段３１は、図８に示す画像８０を表示する場合、画像８０の表示を利用者に認識させ易くするために、所定の音をスピーカー１３に出力するようになっていても良い。また、送信制御手段３１は、図８に示す画像８０においてＯＫボタン８１が押された場合、画像８０の表示を終了して、画像８０の下にあった指定済宛先表示画面４０を再び表示する。
【００６７】
送信制御手段３１は、指定済宛先表示画面４０を表示部１２に表示中ではないとＳ１０４において判断すると、アドレス帳２１に電子メールアドレスが登録されているか否かを判断する（Ｓ１０６）。
【００６８】
送信制御手段３１は、アドレス帳２１に電子メールアドレスが登録されているとＳ１０６において判断すると、画像送信宛先を指定するための宛先指定画面として、図４に示すアドレス帳画面５０を表示部１２にポップアップ表示する（Ｓ１０７）。なお、送信制御手段３１は、アドレス帳画面５０において新規登録ボタン５４が押された場合には、図５に示す宛先入力画面６０を表示部１２にポップアップ表示する。
【００６９】
送信制御手段３１は、アドレス帳２１に電子メールアドレスが登録されていないとＳ１０６において判断すると、宛先指定画面として、図５に示す宛先入力画面６０を表示部１２にポップアップ表示する（Ｓ１０８）。
【００７０】
送信制御手段３１は、Ｓ１０７またはＳ１０８の処理の後、画像送信宛先が指定されたか否かを判断する（Ｓ１０９）。ここで、送信制御手段３１は、アドレス帳画面５０においてキャンセルボタン５５が押された場合、または、宛先入力画面６０においてキャンセルボタン６７が押された場合、Ｓ１０９において画像送信宛先が指定されなかったと判断する。また、送信制御手段３１は、アドレス帳画面５０においてＯＫボタン５６が押された場合、または、宛先入力画面６０においてＯＫボタン６８が押された場合、Ｓ１０９において画像送信宛先が指定されたと判断する。
【００７１】
送信制御手段３１は、画像送信宛先が指定されなかったとＳ１０９において判断すると、図７に示す動作を終了する。
【００７２】
一方、送信制御手段３１は、画像送信宛先が指定されたとＳ１０９において判断すると、表示部１２に表示されている画面上に例えば図９に示す画像９０をポップアップ表示することによって、画像送信宛先が指定されたことを通知して（Ｓ１１０）、Ｓ１０２の処理を実行する。
【００７３】
なお、送信制御手段３１は、図９に示す画像９０を表示する場合、画像９０の表示を利用者に認識させ易くするために、所定の音をスピーカー１３に出力するようになっていても良い。また、送信制御手段３１は、例えば図７に示す動作を終了する際に、画像９０の表示を終了して、画像９０の下にあった画面を再び表示する。
【００７４】
Ｓ１１０における通知の仕組みについて説明する。
【００７５】
図１０は、Ｓ１１０における通知の仕組みを説明する図である。
【００７６】
図１０に示すように、送信制御手段３１は、記憶部２０上のＥｎｔｉｔｙ２２に画像送信宛先を登録する（Ｓ１２１）。
【００７７】
次いで、送信制御手段３１は、Ｓ１０２およびＳ１０３において画像送信動作を実行させるためのジョブ３２を起動する（Ｓ１２２）。
【００７８】
次いで、制御部３０のジョブ３２は、Ｅｎｔｉｔｙ２２から参照した画像送信宛先を設定する（Ｓ１２３）。
【００７９】
次いで、ジョブ３２は、Ｅｎｔｉｔｙ２２から参照した画像送信宛先を制御部３０のシステムマネージャー３３に通知する（Ｓ１２４）。
【００８０】
次いで、システムマネージャー３３は、ジョブ３２から通知された画像送信宛先を送信制御手段３１に通知する（Ｓ１２５）。
【００８１】
そして、送信制御手段３１は、システムマネージャー３３から通知された画像送信宛先に基づいて、表示部１２に表示されている画面上に例えば図９に示す画像９０をポップアップ表示することによって、画像送信宛先が指定されたことを通知する。
【００８２】
以上に説明したように、ＭＦＰ１０は、スキャナー１５によって原稿から読み取られた画像をネットワーク通信部１６によって送信する画像送信動作の宛先である画像送信宛先が指定されていない場合に（Ｓ１０１でＮＯ）、画像送信動作の開始の指示が開始ボタン１１ｅに入力されたとき、画像送信宛先を指定するための宛先指定画面としてアドレス帳画面５０または宛先入力画面６０を表示部１２にポップアップ表示させる（Ｓ１０７、Ｓ１０８）ので、画像送信宛先を利用者に確実に指定させることができる。したがって、ＭＦＰ１０は、利用者が想定していない宛先に画像を送信することを防止することができる。
【００８３】
ＭＦＰ１０は、宛先指定画面としてアドレス帳画面５０を表示部１２にポップアップ表示させる（Ｓ１０７）ことによって、アドレス帳２１に登録されている宛先の中から画像送信宛先を利用者に選択させるので、画像送信宛先を利用者に容易に指定させることができる。
【００８４】
ＭＦＰ１０は、宛先入力画面６０を表示部１２にポップアップ表示させるための新規登録ボタン５４をアドレス帳画面５０に含んでいるので、アドレス帳２１に登録されている宛先の中に利用者が画像送信宛先として希望する宛先が存在しない場合に、画像送信宛先を利用者に直接入力させることができる。
【００８５】
ＭＦＰ１０は、アドレス帳２１に宛先が登録されていない場合に（Ｓ１０６でＮＯ）、アドレス帳画面５０ではなく、画像送信宛先を利用者に直接入力させる宛先入力画面６０を表示部１２にポップアップ表示させる（Ｓ１０８）ので、利用者による画像送信宛先の指定の利便性を向上することができる。
【００８６】
なお、ＭＦＰ１０の送信制御手段３１は、図１１に示すように、指定済宛先表示画面４０を表示部１２に表示中ではないとＳ１０４において判断すると、画像送信宛先を指定するための宛先指定画面として、図４に示すアドレス帳画面５０のみを表示部１２にポップアップ表示する（Ｓ１０７）ようになっていても良い。この場合にも、送信制御手段３１は、アドレス帳画面５０において新規登録ボタン５４が押された場合には、図５に示す宛先入力画面６０を表示部１２にポップアップ表示することができる。
【００８７】
ＭＦＰ１０は、アドレス帳画面５０または宛先入力画面６０によって画像送信宛先が指定された場合に（Ｓ１０９でＹＥＳ）、画像送信宛先が指定されたことを表示部１２上で通知するので（Ｓ１１０）、画像送信宛先が指定されたことを利用者に確実に認識させることができる。なお、ＭＦＰ１０は、Ｓ１１０の処理を省略するようになっていても良い。
【００８８】
ＭＦＰ１０は、指定済宛先表示画面４０が表示部１２に表示されている場合（Ｓ１０４でＹＥＳ）であって画像送信宛先が指定されていない場合（Ｓ１０１でＮＯ）に画像送信動作の開始の指示が開始ボタン１１ｅに入力されたとき、アドレス帳画面５０または宛先入力画面６０を表示部１２にポップアップ表示させずに、画像送信宛先が未だ指定されていないことをポップアップ表示によって表示部１２上で通知する（Ｓ１０５）ので、指定済宛先表示画面４０によって利用者に画像送信宛先を指定させることができる。したがって、ＭＦＰ１０は、利用者による画像送信宛先の指定の利便性を向上することができる。
【００８９】
ＭＦＰ１０は、画像送信宛先が指定されていない場合（Ｓ１０１でＮＯ）であって指定済宛先表示画面４０ではなく画像設定画面７０を表示部１２に表示させている場合（Ｓ１０４でＮＯ）に、画像送信動作の開始の指示が開始ボタン１１ｅに入力されたとき、画像送信宛先を指定するためのアドレス帳画面５０または宛先入力画面６０を表示部１２にポップアップ表示させる（Ｓ１０７、Ｓ１０８）ので、画像送信宛先を利用者に確実に指定させることができる。
【００９０】
なお、図７に示す動作においては、アドレス帳画面５０または宛先入力画面６０において画像送信宛先が指定された場合（Ｓ１０９でＹＥＳ）、指定された画像送信宛先に画像を送信する（Ｓ１０３）ようになっているが、図１２に示すように、指定済宛先表示画面４０を表示部１２に表示させて（Ｓ１４１）、一旦、処理を終了させるようになっていても良い。
【００９１】
画像送信動作の開始の指示は、本実施の形態において、ハードウェアである開始ボタン１１ｅに入力されるようになっている。しかしながら、画像送信動作の開始の指示は、図１３および図１４に示すように、表示部１２に表示されるボタン１６１であっても良い。
【００９２】
本発明の画像送信装置は、本実施の形態において、スキャナー１５によって原稿から読み取られた画像を通信デバイスによって送信する画像送信動作として、ネットワーク通信部１６を介した電子メールによる画像送信動作を実行する。しかしながら、本発明の画像送信装置は、電子メールによる画像送信動作以外のネットワーク通信部１６を介した画像送信動作を実行しても良い。
【００９３】
本発明の画像送信装置は、本実施の形態において、スキャナー１５によって原稿から読み取られた画像を通信デバイスによって送信する画像送信動作として、ネットワーク通信部１６を介した画像送信動作を実行する。しかしながら、本発明の画像送信装置は、ネットワーク通信部１６を介した画像送信動作以外の画像送信動作を実行しても良い。例えば、本発明の画像送信装置は、ネットワーク通信部１６を介した画像送信動作に代えて、または、ネットワーク通信部１６を介した画像送信動作に加えて、公衆電話回線などの通信回線経由でファックス通信を行う通信デバイスであるファックスデバイスを介したファックスによる画像送信動作を実行するようになっていても良い。
【００９４】
本発明の画像送信装置は、本実施の形態においてＭＦＰであるが、例えばファックス専用機など、ＭＦＰ以外の画像送信装置であっても良い。
【符号の説明】
【００９５】
１０  ＭＦＰ（画像送信装置）
１１  操作部（入力デバイス）
１２  表示部（表示デバイス）
１５  スキャナー（読取デバイス）
１６  ネットワーク通信部（通信デバイス）
２０  記憶部
２１  アドレス帳
３１  送信制御手段
４０  指定済宛先表示画面
５０  アドレス帳画面（宛先指定画面）
５４  新規登録ボタン（宛先入力画面表示用ＧＵＩ）
６０  宛先入力画面（宛先指定画面）
７０  画像設定画面
１６１  ボタン（入力デバイス）
【図１】
0005969587.tif 000002
【図２】
0005969587.tif 000003
【図３】
0005969587.tif 000004
【図４】
0005969587.tif 000005
【図５】
0005969587.tif 000006
【図６】
0005969587.tif 000007
【図７】
0005969587.tif 000008
【図８】
0005969587.tif 000009
【図９】
0005969587.tif 000010
【図１０】
0005969587.tif 000011
【図１１】
0005969587.tif 000012
【図１２】
0005969587.tif 000013
【図１３】
0005969587.tif 000014
【図１４】
0005969587.tif 000015